(57)【要約】      （修正有）【課題】表示帯が停止するまでの時間が長くなることを抑止するスロットマシンを提供する。【解決手段】リール、リールモータ、ストップスイッチ、リールモータを制御する停止制御手段等を備え、バウンド停止制御が行われる場合に、ストップスイッチが操作されてからリールが停止を開始するまでの時間が１９０ｍｓを超える特定条件が成立しているときにはバウンド停止制御が行われない一方で、特定条件が成立していないときにはバウンド停止制御が行われる。【選択図】図９
2019093017.tif 000002
【特許請求の範囲】
【請求項１】
各々が識別可能な複数種類の識別情報を変動表示可能な可変表示部を備え、
前記可変表示部を変動表示した後、前記可変表示部の変動表示を停止することで表示結
果を導出し、該表示結果に応じて入賞が発生可能なスロットマシンにおいて、
前記複数種類の識別情報が配置された表示帯と、
前記表示帯を移動および停止させることで前記可変表示部を変動表示させるステッピン
グモータと、
前記表示結果を導出させるために操作される導出操作手段と、
前記導出操作手段の操作に基づき前記表示帯を停止させるように前記ステッピングモー
タを制御する停止制御手段とを備え、
前記複数種類の識別情報には、割り当てられた前記ステッピングモータのステップ数が
第１ステップ数である第１識別情報と、割り当てられた前記ステッピングモータのステッ
プ数が当該第１ステップ数よりも多い第２ステップ数である第２識別情報とが含まれ、
前記表示帯を停止させるための前記停止制御手段による前記ステッピングモータの制御
には、通常制御と、当該通常制御とは異なる特定制御とが含まれ、
前記停止制御手段は、前記特定制御を行う場合に、前記導出操作手段が操作されてから
前記表示帯が停止するまでの時間が特定時間を超える特定条件が成立しているときには当
該特定制御を行わない一方で、当該特定条件が成立していないときには当該特定制御を行
う、スロットマシン。
【発明の詳細な説明】
【技術分野】
【０００１】
本発明は、各々が識別可能な複数種類の識別情報を変動表示可能な可変表示部を備え、
可変表示部を変動表示した後、可変表示部の変動表示を停止することで表示結果を導出し
、該表示結果に応じて入賞が発生可能なスロットマシン等の遊技機に関する。
【背景技術】
【０００２】
遊技機の一種であるスロットマシンは、一般に、外周部に識別情報としての複数種類の
図柄が描かれたリールを有する可変表示部を備えており、規定の賭数が設定された状態で
スタートスイッチが操作されることによりリールが回転開始し、ストップスイッチが操作
されてリールの回転が停止したときに入賞ライン上に予め定められた図柄組合せ（たとえ
ば、７−７−７、以下、図柄組合せを表示結果の組合せ、もしくは役とも称する）が導出
されることにより入賞が発生する。
【０００３】
役の種類としては、小役、特別役、再遊技役といった種類がある。ここで、小役に対応
する表示結果が入賞ライン上に導出された場合には、小役の種類ごとに定められた数のメ
ダルが払い出される。特別役に対応する表示結果が入賞ライン上に導出された場合には、
レギュラーボーナスやビッグボーナスといった遊技者にとって有利な特別遊技状態に遊技
状態が制御可能となる。再遊技役に対応する表示結果が入賞ライン上に導出された場合に
は、賭数の設定に新たなメダルを消費することなく次のゲームを行うことができる。
【０００４】
このようなスロットマシンとして、２１で割り切れるステップ数の周期で１周するステ
ッピングモータを２１個の図柄が配置されたリールに適用し、リールに設けられた複数の
励磁相のいずれかを励磁することでリールを回転または停止させるものがあった（たとえ
ば、特許文献１）。さらに、上述したような２１個の図柄が配置されたリール専用のステ
ッピングモータを２０個の図柄が配置されたリールに適用するとともに制限時間内にリー
ルを停止させるために、連続した複数の図柄のうちの１個の図柄については１ステップ増
やしてステップ数を割り当てているものがあった（たとえば、特許文献２）。
【先行技術文献】
【特許文献】
【０００５】
【特許文献１】特開２００９−１００８１０号公報
【特許文献２】特開２０１２−１８７２１２号公報
【発明の概要】
【発明が解決しようとする課題】
【０００６】
上述したスロットマシンにおいて、図柄に割り当てられるステップ数を増やすと、増や
したステップ数の分だけリールのような表示帯が停止するのに時間がかかってしまう。そ
の上で、通常とは異なる制御でステッピングモータを停止制御しようとした場合、表示帯
が停止するまでの時間がさらにかかってしまい、時間内に表示帯を停止させることができ
なくなるという問題があった。
【０００７】
この発明は、かかる実情に鑑み考え出されたものであり、その目的は、表示帯が停止す
るまでの時間が長くなることを抑止するスロットマシンを提供することである。
【課題を解決するための手段】
【０００８】
（１）  各々が識別可能な複数種類の識別情報を変動表示可能な可変表示部を備え、
前記可変表示部を変動表示した後、前記可変表示部の変動表示を停止することで表示結
果を導出し、該表示結果に応じて入賞が発生可能なスロットマシン（たとえば、スロット
マシン１）において、
前記複数種類の識別情報が配置された表示帯（たとえば、リール２Ｌ，２Ｃ，２Ｒ）と
、
前記表示帯を移動および停止させることで前記可変表示部を変動表示させるステッピン
グモータ（たとえば、リールモータ３２Ｌ，３２Ｃ，３２Ｒ）と、
前記表示結果を導出させるために操作される導出操作手段（たとえば、ストップスイッ
チ８Ｌ，８Ｃ，８Ｒ）と、
前記導出操作手段の操作に基づき前記表示帯を停止させるように前記ステッピングモー
タを制御する停止制御手段（たとえば、メイン制御部４１がリールモータ３２Ｌ，３２Ｃ
，３２Ｒを制御する処理）とを備え、
前記複数種類の識別情報には、割り当てられた前記ステッピングモータのステップ数が
第１ステップ数（たとえば、１６ステップ）である第１識別情報（たとえば、１６ステッ
プ図柄）と、割り当てられた前記ステッピングモータのステップ数が当該第１ステップ数
よりも多い第２ステップ数（たとえば、１７ステップ）である第２識別情報（たとえば、
１７ステップ図柄）とが含まれ、
前記表示帯を停止させるための前記停止制御手段による前記ステッピングモータの制御
には、通常制御（たとえば、通常停止制御（全相励磁停止制御））と、当該通常制御とは
異なる特定制御（たとえば、バウンド停止制御（２相励磁停止制御））とが含まれ、
前記停止制御手段は、前記特定制御を行う場合に、前記導出操作手段が操作されてから
前記表示帯が停止するまでの時間が特定時間（たとえば、１９０ｍｓ）を超える特定条件
が成立しているときには当該特定制御を行わない一方で、当該特定条件が成立していない
ときには当該特定制御を行う（たとえば、図９（ｂ）に示すように、バウンド停止制御が
行われる場合に、ストップスイッチ８Ｌ，８Ｃ，８Ｒが操作されてからリール２Ｌ，２Ｃ
，２Ｒが停止を開始するまでの時間が１９０ｍｓを超える特定条件が成立しているときに
はバウンド停止制御が行われない一方で、図９（ａ）に示すように、特定条件が成立して
いないときにはバウンド停止制御が行われる）。
【０００９】
（２）  上記（１）のスロットマシンにおいて、
前記特定条件は、前記導出操作手段が操作されてから前記表示帯が停止するまでに特定
位置（たとえば、中段ラインＬＮ）を通過する識別情報に前記第２識別情報が含まれる条
件である（たとえば、特定条件は、ストップスイッチ８Ｌ，８Ｃ，８Ｒが操作されてから
リール２Ｌ，２Ｃ，２Ｒが停止するまでに中段ラインＬＮを通過する図柄に１７ステップ
図柄が４つ含まれる条件である）。
【００１０】
（３）  上記（１）または（２）のスロットマシンにおいて、
前記特定制御が実行可能な状況には、第１状況（たとえば、図柄番号２に対応する図柄
２が停止開始位置である第１状況）と第２状況（たとえば、図柄番号４に対応する図柄４
が停止開始位置である第２状況）とが含まれ、
前記停止制御手段は、
前記第１状況であるときは、第１特定制御（たとえば、図１０に示すように、停止開
始位置においてφ０とφ１とを励磁する第１バウンド停止制御）を行い、
前記第２状況であるときは、第２特定制御（たとえば、図１０に示すように、停止開
始位置においてφ１とφ２とを励磁する第２バウンド停止制御）を行う。
【００１１】
（４）  上記（１）〜（３）のいずれかのスロットマシンにおいて、
前記特定制御が実行可能な状況は、前記導出操作手段が操作されたときに特定識別情報
（たとえば、赤７図柄）が特定位置（たとえば、中段ラインＬＮ）に停止可能な状況であ
る（たとえば、図４（ｃ），（ｄ）に示すように、バウンド停止制御が実行可能な状況は
、ストップスイッチ８Ｌ，８Ｃ，８Ｒが操作されたときに赤７図柄が中段ラインＬＮに停
止可能な状況である）。
【００１２】
（５）  上記（４）のスロットマシンにおいて、
前記特定識別情報が特定位置に停止可能な状況である旨を示唆する示唆演出（たとえば
、図４に示すように、赤７図柄が中段ラインＬＮに停止可能な状況である旨を示唆する７
を狙え演出）を実行する示唆演出実行手段（たとえば、サブ制御部９１が７を狙え演出を
実行する処理）をさらに備える。
【００１３】
（６）  上記（４）のスロットマシンにおいて、
前記停止制御手段は、前記特定識別情報が特定位置に停止する状況である場合、前記導
出操作手段が操作されてから当該特定識別情報が特定位置に停止するまでの時間に関わら
ず、前記特定制御を行う（たとえば、図７〜図９に示すように、赤７図柄（中リールにお
ける図柄４）が中段ラインＬＮに停止する状況である場合、ストップスイッチ８Ｌ，８Ｃ
，８Ｒが操作されてから赤７図柄が中段ラインＬＮに停止するまでの滑りコマ数に関わら
ず、バウンド停止制御が行われる）。
【図面の簡単な説明】
【００１４】
【図１】（ａ）は、本実施形態に係るスロットマシンの正面図であり、（ｂ）は、スロットマシンの主な内部構成の一例を示す図である。
【図２】リールモータの構成を示す図である。
【図３】リールモータの励磁状況を示すタイミングチャートである。
【図４】７を狙え演出の一例を説明するための図である。
【図５】リール配列とバウンド停止との関係を説明するための図である。
【図６】停止開始位置での励磁状態を説明するための図である。
【図７】最大停止遅延時間とバウンド停止との関係（その１）するための図である。
【図８】最大停止遅延時間とバウンド停止との関係（その２）を説明するための図である。
【図９】最大停止遅延時間とバウンド停止との関係（その３）を説明するための図である。
【図１０】第１バウントストップ制御および第２バウンド停止制御における停止開始位置での２相励磁状態を説明するための図である。
【発明を実施するための形態】
【００１５】
本発明に係る遊技機としてスロットマシンを実施するための形態を実施例に基づいて以
下に説明する。
【００１６】
［スロットマシンの構成］
図１（ａ）は、本実施形態に係るスロットマシン１の正面図であり、（ｂ）は、スロッ
トマシン１の主な内部構成の一例を示す図である。
【００１７】
図１（ａ）に示すように、スロットマシン１は、画像を表示する液晶表示器５１と、音
を出力するスピーカ５３とを備える。液晶表示器５１の下方には、透視窓３が形成されて
いる。遊技者は、この透視窓３を介してスロットマシン１の内部に並設されているリール
２Ｌ，２Ｃ，２Ｒを視認可能である。各リール２Ｌ，２Ｃ，２Ｒには、各々が識別可能な
複数種類の識別情報である図柄が所定の順序で配列されている。
【００１８】
透視窓３の下方には、ゲーム（遊技）を開始する際に操作されるスタートスイッチ７と
、それぞれのリールの回転を停止させて表示結果を導出させるために操作されるストップ
スイッチ８Ｌ，８Ｃ，８Ｒとが設けられている。
【００１９】
図１（ｂ）に示すように、スロットマシン１の内部には、遊技の進行を制御するととも
に遊技の進行に応じて各種コマンドを出力するメイン制御部４１が設けられている。メイ
ン制御部４１は、遊技の進行に係る各種制御を行うメインＣＰＵ４１ａと、遊技の進行に
係る各種データを記憶するＲＡＭ４１ｃとを備える。メイン制御部４１は、スタートスイ
ッチ７やストップスイッチ８Ｌ，８Ｃ，８Ｒに対する操作を検出し、検出した操作に応じ
て遊技の進行に係る制御を行う。
【００２０】
リール２Ｌ，２Ｃ，２Ｒの内側には、リールセンサ３３Ｌ，３３Ｃ，３３Ｒが設けられ
ている。リールセンサ３３Ｌ，３３Ｃ，３３Ｒは、回転中のリール２Ｌ，２Ｃ，２Ｒそれ
ぞれの基準位置を検出する。具体的にはリールセンサ３３Ｌ，３３Ｃ，３３Ｒは、各リー
ル２Ｌ，２Ｃ，２Ｒについて図柄番号０に対応する図柄の下端が所定位置を通過するとき
に、検出信号をメイン制御部４１に出力する。つまり、本実施の形態においては、各リー
ルについて図柄番号０に対応する図柄の下端がリール基準位置となる。メイン制御部４１
は、リールセンサ３３Ｌ，３３Ｃ，３３Ｒからの検出信号に基づき、リール２Ｌ，２Ｃ，
２Ｒそれぞれを回転または停止させるリールモータ３２Ｌ，３２Ｃ，３２Ｒを駆動制御す
る。
【００２１】
スロットマシン１の内部には、メイン制御部４１からのコマンドに応じて演出を制御す
るサブ制御部９１が設けられている。サブ制御部９１は、演出に係る各種制御を行うサブ
ＣＰＵ９１ａと、演出に係る各種データを記憶するＲＡＭ９１ｃとを備える。サブ制御部
９１は、メイン制御部４１からのコマンドに基づいて、液晶表示器５１における画像の表
示やスピーカ５３からの音の出力を制御する。液晶表示器５１の画像表示やスピーカ５３
の音出力に用いられる演出データは、ＲＡＭ９１ｃに記憶されている。
【００２２】
スロットマシン１においてゲームを行う場合、遊技者は、図示しないメダル投入部にメ
ダルを投入するか、図示しないＢＥＴスイッチを操作するなどして規定数の賭数を設定す
る。これにより、入賞ラインＬＮが有効となり、かつスタートスイッチ７への操作が有効
となってゲームが開始可能な状態となる。入賞ラインＬＮとは、透視窓３に表示されたリ
ール２Ｌ，２Ｃ，２Ｒにおける図柄の組合せが入賞図柄の組合せと一致するか否かを判定
するためのラインである。
【００２３】
ゲームが開始可能な状態でスタートスイッチ７が操作されると、リール２Ｌ，２Ｃ，２
Ｒが回転する。このとき、メイン制御部４１によって内部抽選が行われる。内部抽選は、
導出を許容する図柄組合せ（表示結果）を決定する処理である。内部抽選によって図柄組
合せの導出が許容されることを、当該図柄組合せに対応する役に当選したともいう。スト
ップスイッチ８Ｌ，８Ｃ，８Ｒが操作されると、操作されたストップスイッチに対応する
リールの回転が停止する。これにより、透視窓３に図柄組合せが導出表示される。なお、
リールの回転を停止させるためのストップスイッチ８Ｌ，８Ｃ，８Ｒに対する操作のうち
、１番目のリールの回転を停止させるための操作を第１停止操作、２番目のリールの回転
を停止させるための操作を第２停止操作、３番目のリールの回転を停止させるための操作
を第３停止操作ともいう。入賞ラインＬＮ上において、当選役の図柄組合せと一致する図
柄組合せが停止した場合、当該当選役に対応する入賞が発生する。
【００２４】
以下では、特に区別する必要がない場合にはリール２Ｌ，２Ｃ，２Ｒを単にリールとい
う場合がある。また、リール２Ｌを左リール、リール２Ｃを中リール、リール２Ｒを右リ
ールという場合がある。また、リールセンサ３３Ｌ、３３Ｃ、３３Ｒを単にリールセンサ
という場合がある。また、ストップスイッチ８Ｌ，８Ｃ，８Ｒを単にストップスイッチと
いう場合がある。また、ストップスイッチ８Ｌ，８Ｃ，８Ｒの操作によりリール２Ｌ，２
Ｃ，２Ｒを停止させる操作を停止操作という場合がある。
【００２５】
次に、リール２Ｌ，２Ｃ，２Ｒの停止制御について説明する。メイン制御部４１は、リ
ールセンサからの検出信号に基づいてリールモータを駆動制御してリールの回転を開始さ
せたとき、およびリールを停止させ、かつ未だ回転中のリールが残っているときに、当選
番号およびＲＯＭ４１ｂに格納されているテーブルインデックス、テーブル作成用データ
を参照して、回転中のリール別に停止制御テーブルを作成する。そして、ストップスイッ
チ８Ｌ，８Ｃ，８Ｒのうち、回転中のリールに対応するいずれかの操作が有効に検出され
たときに、該当するリールの停止制御テーブルを参照し、参照した停止制御テーブルの滑
りコマ数に基づいて、操作されたストップスイッチ８Ｌ，８Ｃ，８Ｒに対応するリール２
Ｌ，２Ｃ，２Ｒの回転を停止させる制御を行う。
【００２６】
本実施の形態では、滑りコマ数として０〜４の値が定められており、停止操作を検出し
てから最大４図柄を引き込んでリールを停止させることが可能である。すなわち停止操作
を検出した停止操作位置を含め、最大５コマの範囲から図柄の停止位置を指定できるよう
になっている。また、１図柄分リールを移動させるのに１コマの移動が必要であるので、
停止操作を検出してから最大４図柄を引き込んでリールを停止させることが可能であり、
停止操作を検出した停止操作位置を含め、最大５図柄の範囲から図柄の停止位置を指定で
きることとなる。
【００２７】
本実施の形態では、停止操作が行われた際に、入賞ライン上に最大４コマの引込範囲で
当選している役を揃えて停止させることができれば、これを揃えて停止させる制御が行わ
れ、当選していない役は、最大４コマの引込範囲で揃えずに停止させる制御が行われるこ
ととなる。
【００２８】
［リールモータの構成］
次に、リールモータ３２Ｌ，３２Ｃ，３２Ｒの構成および当該リールモータを励磁する
際の制御方法について、図２および図３に基づいて説明する。
【００２９】
スロットマシンにおいては、外周部に互いに識別可能な複数種類の図柄がそれぞれ２１
個ずつ配置されたリール２Ｌ，２Ｃ，２Ｒを用いることが一般的である。このため、全ス
テップ数が２１の倍数となるように設定されたリールモータ３２Ｌ，３２Ｃ，３２Ｒを用
いることが一般的である。本実施の形態においても、図柄がそれぞれ２１個ずつ配置され
ることを想定した一般的なリールモータを適用する。当該リールモータは、各図柄に対し
て１６ステップが均等に割り当てられ、全ステップ数は３３６ステップ（１６ステップ×
２１図柄）となるものである。
【００３０】
図２は、リールモータ３２Ｌ，３２Ｃ，３２Ｒの構成を示す図である。リールモータ３
２Ｌ，３２Ｃ，３２Ｒは、ハイブリッド型ステッピングモータであり、ステータ３２ｂと
、これに対向するロータ３２ａとで構成されている。なお、ロータ３２ａは、図示しない
多数の歯車状突極を有し、これに回転軸と同方向に磁化された永久磁石が組み込まれてい
る。これらリールモータ３２Ｌ，３２Ｃ，３２Ｒでは、メイン制御部４１の制御に基づき
モータ駆動回路から出力されるパルス信号を受け、ステータ３２ｂの各励磁相φ１〜φ４
が所定の手順に従って励磁されることにより、１パルスを受信する度に所定の角度（１ス
テップ）ずつロータ３２ａが回転する。
【００３１】
［リールモータ始動時の制御方法］
図３は、リールモータの励磁状況を示すタイミングチャートである。図３（ａ）は、リ
ールモータ３２Ｌ，３２Ｃ，３２Ｒの始動時の制御方法を示すタイミングチャートである
。図３において、φ１〜φ４は、各励磁相を示し、「ＯＮ」は励磁状態を、「ＯＦＦ」は
消磁状態を、各々示す。メイン制御部４１は、リールモータ３２Ｌ，３２Ｃ，３２Ｒの始
動時において、停止相のみが励磁された状態から停止相を始点として後述する１−２相励
磁方式にて回転方向に励磁を開始する。たとえば、停止相が（φ３、φ４）の場合には、
（φ３、φ４）が励磁された状態から、（φ４）、（φ４、φ１）、（φ１）・・・の順
で、φ１〜φ４を１相、２相、１相と交互に励磁する。
【００３２】
仮に停止相とは異なる相を始点として励磁を開始した場合には、急激にロータ３２ａの
永久磁石が励磁相に吸引されることとなり、回転の開始時にリールが振動してしまうこと
となるが、本実施例では、停止相を始点として励磁を開始するので、ロータ３２ａと一体
的に結合されているリールが滑らかに始動するようになる。
【００３３】
リールモータ３２Ｌ，３２Ｃ，３２Ｒの停止制御には、通常停止制御（全相励磁停止制
御）とバウンド停止制御（２相励磁停止制御）とがある。以下、図３（ｂ），（ｃ）を用
いてこれらの停止制御について説明する。
【００３４】
［通常停止制御］
図３（ｂ）は、通常停止制御（全相励磁停止制御）でリールを停止させる場合の、リー
ルモータ３２Ｌ，３２Ｃ，３２Ｒの回転中および停止時の制御方法を示すタイミングチャ
ートである。
【００３５】
まず、回転中、すなわちリールを停止させる条件が成立するまでの間は、１−２相励磁
方式でリールモータを駆動して各リール２Ｌ，２Ｃ，２Ｒを回転させる。たとえば、φ１
〜φ４を励磁する旨を示すパルス信号を図３（ｂ）に示すタイミングでＯＮ／ＯＦＦし、
ロータ３２ａの回転方向に沿って、（φ４、φ１）、（φ１）、（φ１、φ２）、（φ２
）、（φ２、φ３）、（φ３）、（φ３、φ４）、（φ４）、（φ４、φ１）・・・の順
で、２相、１相、２相、１相、２相と１ステップ毎に交互にφ１〜φ４を励磁して、ロー
タ３２ａを回転させることにより、リール２Ｌ，２Ｃ，２Ｒを回転させる。
【００３６】
回転中のリールを停止させる条件が成立した場合、停止制御に移行する。停止制御は、
１−２相励磁方式での２相が励磁される状態に移行する時点Ｔａから開始される。１相が
励磁されている状態で停止条件が成立した場合は、２相が励磁される状態に移行するのを
待って停止制御に移行する。
【００３７】
通常停止制御は、図３（ｂ）に示されるように、全相励磁停止制御で行われる。全相励
磁停止制御では、１−２相励磁方式でリールモータが駆動されている場合において、１相
を励磁した状態から２相を励磁する状態に移行する時点Ｔａから開始され、全相を励磁す
る状態を所定のホールド時間（Ｔ１＋Ｔ２）だけ保持する制御である。たとえば、図３（
ｂ）に示すように、（φ１）を励磁した状態から（φ１、φ２）を励磁する状態に移行す
る時点から、（φ１、φ２、φ３、φ４）を励磁した状態をホールド時間Ｔ１＋Ｔ２だけ
保持する。これにより、高速回転していた各リールモータのロータ３２ａは急制動がかけ
られる。その後、リールモータのロータ３２ａは、慣性力により数ステップ分回転して停
止する。なお、リールモータのロータ３２ａが停止するまでに要するステップ数は、リー
ルやリールモータの特性（重さや大きさ、電気機械的な性質）によって変化するので、リ
ールの停止制御においては、当該特性に応じたステップ数で、全相励磁停止制御を行うこ
とが好ましい。
【００３８】
全相励磁停止制御がＴ１＋Ｔ２の間実行された後（Ｔｃ）、φ１、φ２を消磁し、停止
相φ３、φ４の励磁状態を維持したまま、リールモータに印加する電圧を通常値（Ｈｉｇ
ｈ状態）よりも低下させる（Ｌｏｗ状態）。ロータ３２ａの停止後も、停止相φ３、φ４
の励磁状態を通常値よりもＬｏｗ状態の電圧で維持するのは、ホールディングトルクとデ
ィテントトルクとの位相差や摩擦の影響によるずれによって、ロータ３２ａが停止相φ３
、φ４のホールディングトルク安定点から外れることを防止するためである。これにより
、リールが一旦停止した後に微動すること、及び、次回リールモータを始動させる時のロ
ータ３２ａの角度位置が、停止時の角度位置からずれてしまうことを防止できる。
【００３９】
ロータ３２ａの停止後も維持されている停止相φ３、φ４の励磁状態は、次ゲームの開
始操作が行われることなく所定時間（本実施例では３０秒であり、待機状態（デモ演出）
へ移行するのと同じタイミング）が経過した場合（Ｔｄ）に解除される。すなわち、ロー
タ３２ａの停止後、次ゲームの開始操作が行われることなく所定時間が経過した場合には
、φ１〜φ４が全て消磁されることになる。このため、たとえば、励磁相が長時間継続し
て励磁されることによる発熱に伴って、リールモータを構成する部品等に負担がかかるこ
とがないので、これら部品の劣化を防止することができる。また、本実施例では、次ゲー
ムの開始操作が行われない状態が所定時間継続して待機状態（デモ演出）へ移行するタイ
ミングで励磁状態が解除されるので、遊技客が遊技している間は、リールに配置された図
柄がずれにくい状態を保つことができる一方、遊技客が遊技している可能性の低い状態で
は、リールモータの構成部品にかかる負荷を軽減できるようになる。
【００４０】
［バウンド停止制御］
図３（ｃ）は、バウンド停止制御（２相励磁停止制御）で停止させる場合の、リールモ
ータ３２Ｌ，３２Ｃ，３２Ｒの回転中および停止時の制御方法を示すタイミングチャート
である。
【００４１】
ここで、バウンド停止制御とは、停止制御を行う際に、振動を伴ってロータ３２ａを停
止させる制御のことを言う。バウンド停止制御は、特定の演出を伴って実行される。なお
、バウンド停止は、バウンドストップとも称する。
【００４２】
特定の演出として、本実施の形態においては、７を狙え演出がある。７を狙え演出は、
赤７図柄が中段ラインＬＮに停止可能な状況である旨が示唆される演出である。また、ス
トップスイッチ８Ｌ，８Ｃ，８Ｒが操作されたときに赤７図柄が中段ラインＬＮに停止可
能な状況であるときに、バウンド停止制御が実行可能となる。バウンド停止制御が実行さ
れて赤７図柄が中段ラインＬＮに停止することで、特典（たとえば、ＡＴが付与される権
利）の付与が示唆される。
【００４３】
図４は、７を狙え演出の一例を説明するための図である。図４（ａ）に示すように、ス
タートスイッチ７の操作時に、７を狙え演出が実行される。液晶表示器５１には、赤７図
柄揃いを示唆する文字画像「７を狙え」と、右第１停止、中第２停止、左第３停止の押し
順を示唆するナビ画像「３２１」とが表示される。このように、７を狙え演出においては
、ストップスイッチの操作態様（押し順や操作タイミング）を遊技者に報知するナビが行
われる。
【００４４】
第１停止操作により、図４（ｂ）に示すように、右リール２Ｒにおいて、赤７図柄が中
段ラインＬＮに停止している。第２停止操作により、図４（ｃ）に示すように、中リール
２Ｃにおいて、赤７図柄が中段ラインＬＮに停止して、テンパイ状態となる。このとき、
中リール２Ｃにおいて、同時にバウンド停止制御が行われている。これにより、特典付与
が確定したことが報知される。第３停止操作により、図４（ｄ）に示すように、図柄組合
せ「赤７−赤７−赤７」が導出表示されると、左リール２Ｌにおいて、同時にバウンド停
止制御が行われる。これにより、特典が付与されたことを祝福する演出が実行される。
【００４５】
また、図４（ｂ）の状態から、第２停止操作により、図４（ｅ）に示すように、中リー
ル２Ｃにおいて、赤７図柄が中段ラインＬＮに停止してテンパイ状態になるが、バウンド
停止制御が行われない。これにより、特典が付与される可能性が低いことが示唆される。
第３停止操作により、図４（ｆ）に示すように、リプレイ図柄が導出表示される。このと
き、赤７図柄が揃わず、バウンドストップが実行されないことで、特典が付与されなかっ
たことが示唆される。
【００４６】
次に、バウンド停止制御の制御方法について説明する。バウンド停止制御は、２相励磁
停止制御で行われる。２相励磁停止制御では、１−２相励磁方式でリールモータが駆動さ
れている場合において、１相を励磁した状態から２相を励磁する状態に移行する時点Ｔａ
から開始され、２相を励磁する状態を所定のホールド時間（Ｔ３＋Ｔ４）だけ保持する制
御である。
【００４７】
たとえば、図３（ｃ）に示すように、（φ１）を励磁した状態から（φ１、φ２）を励
磁する状態に移行する時点から、（φ１、φ２）を励磁した状態をホールド時間Ｔ３＋Ｔ
４だけ保持する。これにより、高速回転していた各リールモータのロータ３２ａは、急制
動がかけられて停止する。
【００４８】
２相励磁停止制御が行われた場合、ロータ３２ａの慣性力によりオーバーシュートが発
生し、ロータ３２ａは、停止相（φ１、φ２）による停止位置を一旦通り過ぎる。そして
、（φ１、φ２）の励磁により、ロータ３２ａは再度引き戻され、停止位置を中心にして
振動が発生する。振動が収まると、最終的には停止位置で停止する。このように、振動を
伴ってロータ３２ａが停止するバウンド停止（バウンドストップ）が発生する。
【００４９】
全相励磁停止制御がＴ３＋Ｔ４の間実行された後（Ｔｃ）、φ１、φ２の励磁状態を維
持したまま、リールモータに印加する電圧を通常値（Ｈｉｇｈ状態）よりも低下させる（
Ｌｏｗ状態）。φ１、φ２の励磁状態は、次ゲームの開始操作が行われることなく所定時
間が経過した場合（Ｔｄ）に解除される。
【００５０】
バウンド停止制御（２相励磁停止制御）で停止制御を行う場合は、通常停止制御（全相
励磁停止制御）で停止制御を行う場合よりも、停止制御を開始するタイミングが遅くなる
ことがある。図９を用いて後述するように、２相励磁停止制御を行う場合に、停止制御を
開始させようとする位置（停止開始位置）が１相励磁状態である場合は、所定の時間（後
述する「２相励磁延長時間」）だけタイミングを遅延させてから停止制御を開始する必要
がある。このように、バウンド停止制御のような停止制御開始タイミングの遅延が発生す
る停止制御方式を適用する場合には、通常停止制御を行う場合よりも、ロータ３２ａを停
止させるまでの時間が長くなってしまうことになる。
【００５１】
［リール配列とバウンド停止との関係］
次に、リール配列とバウンド停止との関係について説明する。図５は、リール配列とバ
ウンド停止との関係を説明するための図である。
【００５２】
本実施の形態においては、外周部に互いに識別可能な複数種類の図柄がそれぞれ２０個
ずつ配置されたリール２Ｌ，２Ｃ，２Ｒを用いる。しかし、先に説明したように、リール
モータ３２Ｌ，３２Ｃ，３２Ｒは、製造コストなどの観点から、全ステップ数が２１の倍
数となるように設定された２１図柄用の一般的なものを用いている。
【００５３】
このようにした場合、全ステップ数（３３６ステップ）が２０で割り切れないため、２
１図柄の場合のように各図柄に割り当てられるステップ数が均等（１６ステップずつ）に
ならない。結果として、１６ステップが割り当てられた図柄と、１６ステップより１ステ
ップ多い１７ステップが割り当てられた図柄が混在することになる。
【００５４】
本実施の形態においては、図５に示すように、１リールに配置された２０図柄のうち４
図柄（図柄２，５，１０，１５）に対して１６ステップが割り当てられ、残りの１６図柄
に対して１７ステップが割り当てられている。なお、１６ステップが割り当てられた図柄
を１６ステップ図柄、１７ステップが割り当てられた図柄を１７ステップ図柄とも称する
。
【００５５】
本実施の形態においては、最大停止遅延時間が１９０ｍｓ（ミリ秒）を超えないように
制限されている。ここで、最大停止遅延時間とは、ストップスイッチ８Ｌ，８Ｃ，８Ｒの
操作が行われてから、対応するリール２Ｌ，２Ｃ，２Ｒの回転を停止する停止制御が開始
されるまでの時間のうち最大となる時間である。
【００５６】
上述したように、図柄に割り当てられたステップ数が１ステップ増えることで、最大停
止遅延時間が増加することになる。さらに、バウンド停止制御を行ったときには、最大停
止遅延時間が１９０ｍｓを超える（「特定条件」が成立するとも言う）という問題が発生
する。このため、本実施の形態では、バウンド停止制御が可能となる停止開始位置と、バ
ウンド停止制御が不能となる停止開始位置とを設けるようにして、特定条件が成立しない
ようにした。
【００５７】
具体的には、特定条件は、次のときに成立する。１つ目は、滑りコマ数が４コマとなる
ことである。２つ目は、ストップスイッチ８Ｌ，８Ｃ，８Ｒが操作されてからリール２Ｌ
，２Ｃ，２Ｒが停止するまでに中段ラインＬＮを通過する図柄に１７ステップ図柄が４つ
含まれることである。３つ目は、停止開始位置での励磁状態が１相励磁状態であるときに
バウンド停止制御が行われることである。以下、具体的に説明する。
【００５８】
図５に示すように、１リールに配置された２０図柄の各々には、リール基準位置の図柄
を基準として連続する番号（０〜１９）が図柄番号として予め割り当てられている。たと
えば、左リールの図柄番号２に対応する図柄２は、赤７図柄である。中リールの図柄番号
４に対応する図柄４は、赤７図柄である。右リールの図柄番号２に対応する図柄２は、赤
７図柄である。
【００５９】
本実施の形態においては、赤７図柄は、７を狙え演出においてバウンド停止させる対象
となる図柄である。また「○」で示された図柄は、赤７図柄以外の図柄を示す。左リール
および右リールに対応する赤７図柄においては、第１バウントストップ制御を行う。また
、中リールに対応する赤７図柄においては、第２バウントストップ制御を行う。第１バウ
ントストップ制御および第２バウントストップ制御については、図１０を用いて後述する
。
【００６０】
各図柄における停止開始位置での励磁状態は、図柄２，４，７，９，１２，１４，１７
，１９においては、２相励磁状態となる。各図柄における停止開始位置での励磁状態が２
相励磁状態となる場合は、特定条件が成立しない。このため、バウンド停止制御および通
常停止制御が可能となる。
【００６１】
また、それ以外の図柄においては、全て１相励磁状態となる。各図柄における停止開始
位置での励磁状態が１相励磁状態となる場合に、バウンド停止制御を行おうとすると、特
定条件が成立してしまう。このため、バウンド停止制御が行えない。ただし、通常停止制
御は可能である。各図柄と停止開始位置での励磁状態との関係については、図６を用いて
後述し、特定条件の成立とバウンド停止制御の可否との関係については、図７〜９を用い
て後述する。
【００６２】
［停止開始位置での励磁状態］
次に、メイン制御部４１が停止制御を行う際の停止開始位置での励磁状態について説明
する。図６は、停止開始位置での励磁状態を説明するための図である。
【００６３】
表は、各図柄のステップ番号と、それに対応した励磁状態を示すものである。たとえば
、図柄０（図柄番号０）の１ステップ目（ステップ０）においては、（φ４）を励磁した
状態になる。２ステップ目（ステップ０）においては、（φ１，φ４）を励磁した状態に
なる。このように、３ステップ目以降も、（φ１）、（φ１，φ２）、（φ２）、（φ２
，φ３）・・・の順に励磁される。
【００６４】
そして、図柄０を停止させる場合は、停止開始位置である１１ステップ目（ステップ１
０）で、停止制御が開始される。１１ステップ目（ステップ１０）は、（φ１）が励磁さ
れた１相励磁状態となる。
【００６５】
このような順番で励磁状態を遷移させていくと、図柄１（図柄番号１）における停止開
始位置も、（φ１）が励磁された１相励磁状態となる。図柄２における停止開始位置は、
（φ１，φ２）が励磁された２相励磁状態となる。図柄３における停止開始位置は、（φ
３）が励磁された１相励磁状態となる。図柄４における停止開始位置は、（φ２，φ３）
が励磁された２相励磁状態となる。
【００６６】
すなわち、図柄０，１，３における停止開始位置は１相励磁状態であり、図柄２，４に
おける停止開始位置は２相励磁状態である。本実施の形態においては、図柄０〜４の励磁
状態と、図柄５〜９の励磁状態と、１０〜１４の励磁状態と、１５〜１９の励磁状態は同
じである。つまり、停止開始位置が２相励磁となるのは、図柄２，４，７，９，１２，１
４，１７，１９であり、その他の図柄は停止開始位置が１相励磁となる。
【００６７】
停止開始位置が１相励磁状態である図柄において、バウンド停止制御（２相励磁停止制
御）を行おうとした場合、リール停止時にずれが発生する。このため、停止開始位置が１
相励磁である場合には、まず、２相励磁を行ってから、停止制御を開始させている。この
２相励磁を行う時間を「２相励磁延長時間」と称する。２相励磁延長時間は、１．１２ｍ
ｓである。
【００６８】
［最大停止遅延時間とバウンド停止との関係］
次に、図７〜９を用いて、最大停止遅延時間とバウンド停止との関係について説明する
。
【００６９】
メイン制御部４１は、ストップスイッチの操作が検出された場合に、後述するリールの
図柄ステップ数カウンタに基づいて、停止操作位置となる図柄番号を取得し、該当するリ
ールを停止させる制御（通常停止制御またはバウンド停止制御）を行う。停止操作位置と
なる図柄番号を取得する際には、図柄ステップ数カウンタの値が後述する判定範囲にある
ときは図柄番号を取得する。図柄ステップ数カウンタの値が判定範囲にない場合は、判定
範囲となるのを待って図柄番号を取得する。
【００７０】
ここで、図柄ステップ数は、１つの図柄に対応するステップ数である。また、図柄ステ
ップ数カウンタは、リールの判定位置（各リールが停止したときの中段に位置する図柄に
対応する図柄領域の最上端の位置）を通過する図柄の図柄ステップ数を計数するためのカ
ウンタである。
【００７１】
また、図柄ステップ数には、判定範囲と非判定範囲とが設定されている。判定範囲は、
滑りコマ数０でリールの中段の位置に停止させることができる図柄ステップ数の範囲であ
る。本実施例では、判定範囲は、０〜１０ステップ（１ステップ目〜１１ステップ目）の
範囲である（たとえば、図７（ａ）に示す図柄４の１ステップ目〜１１ステップ目）。
【００７２】
一方、非判定範囲は、滑りコマ数０でリールの中段の位置に停止させることができない
図柄ステップ数の範囲である。非判定範囲は、１６ステップ図柄については、１１〜１５
ステップ（１２ステップ目〜１６ステップ目）の範囲であり、１７ステップ図柄について
は、１１〜１６ステップ（１２ステップ目〜１７ステップ目）の範囲である（たとえば、
図７（ａ）に示す図柄３の１２ステップ目〜１７ステップ目）。
【００７３】
メイン制御部４１は、図柄ステップ数が判定範囲にあると判定した場合には、図柄番号
カウンタの値を停止操作が行われたときの図柄番号として設定する。図柄番号カウンタは
、判定位置に位置している図柄の図柄番号を計数するためのカウンタである。
【００７４】
メイン制御部４１は、ストップスイッチの操作が検出された場合に、引き込み可能な範
囲にある図柄を停止させる制御を行う。たとえば、左リールにおいて図柄２の赤７図柄を
引き込んで停止させる停止制御が行われるとする。メイン制御部４１は、停止操作がされ
た後に、図柄番号カウンタにより取得した図柄番号が２となり、図柄ステップ数カウンタ
により取得したステップ数が停止開始位置になったとき、停止制御を開始する。停止開始
位置は、全ての図柄において１１ステップ目（１０ステップ）である（たとえば、図７（
ａ）に示す図柄４の１１ステップ目）。
【００７５】
図７は、最大停止遅延時間とバウンド停止との関係（その１）を説明するための図であ
る。図７（ａ）は、図柄４を０コマ滑りで停止させるときの最大停止遅延時間を説明する
ものである。図柄４の停止開始位置は２相励磁状態となる。上述のように、図柄３の非判
定範囲は、１１〜１６ステップ（１２ステップ目〜１７ステップ目）の範囲である。この
ため、図柄３の１２ステップ目以降で停止操作を行ったとしても、当該図柄を停止させる
ことができず、０コマ滑りの場合は、図柄４で停止することになる。
【００７６】
したがって、０コマ滑りで図柄４に停止させる場合に、最大停止遅延時間となる停止操
作位置は、図柄３の１２ステップ目となる。また、停止開始位置は、図柄４の１１ステッ
プ目である。また、１ステップを移動するのに必要な時間は、２．２４ｍｓである。
【００７７】
以上のことから、最大停止遅延時間となる停止操作位置から停止開始位置までの移動時
間（ステップ移動時間と称する）は、（６ステップ（図柄３の１２〜１７ステップ目）＋
１１ステップ（図柄４の１１ステップ））×２．２４ｍｓ＝３８．０８ｍｓとなる。
【００７８】
また、ストップスイッチ８Ｌ，８Ｃ，８Ｒの停止操作を検出するまでの検知時間は０．
５６ｍｓあり、ストップスイッチ８Ｌ，８Ｃ，８Ｒの検知のための割込み処理に要する時
間およびデータ出力のための割込み処理に要する最大時間は１．１２ｍｓである。よって
、ステップ移動時間以外のその他の時間として、上記０．５６ｍｓ＋１．１２ｍｓ＝１．
６８ｍｓを要する。また、図柄４の停止開始位置は２相励磁状態である。このため、２相
励磁延長は不要である。
【００７９】
以上のことから、０コマ滑りで図柄４を停止させる場合の最大停止遅延時間は、ステッ
プ移動時間（３８．０８ｍｓ）＋その他（１．６８ｍｓ）＋２相励磁延長時間（０ｍ）＝
３９．７６ｍｓとなり、特定条件が成立しない（１９０ｍｓを超えない）。このため、０
コマ滑りで図柄４を停止させる場合は、バウンド停止制御が可能である。
【００８０】
図７（ｂ）は、図柄４を１コマ滑りで停止させるときの最大停止遅延時間を説明するも
のである。図柄２の非判定範囲は、１２ステップ目〜１７ステップ目の範囲であるため、
図柄２の１２ステップ目以降で停止操作を行ったとしても、当該図柄を停止させることが
できず、１コマ滑りの場合は、図柄４で停止することになる。
【００８１】
したがって、１コマ滑りで図柄４に停止させる場合に、最大停止遅延時間となる停止操
作位置は、図柄２の１２ステップ目となる。このことから、ステップ移動時間は、（６ス
テップ（図柄２の１２〜１７ステップ目）＋１７ステップ（図柄３）＋１１ステップ（図
柄４の１１ステップ））×２．２４ｍｓ＝７６．１６ｍｓとなる。
【００８２】
以上のことから、１コマ滑りで図柄４を停止させる場合の最大停止遅延時間は、ステッ
プ移動時間（７６．１６ｍｓ）＋その他（１．６８ｍｓ）＋２相励磁延長時間（０ｍ）＝
７７．８４ｍｓとなり、特定条件が成立しない（１９０ｍｓを超えない）。このため、１
コマ滑りで図柄４を停止させる場合は、バウンド停止制御が可能である。
【００８３】
図８は、最大停止遅延時間とバウンド停止との関係（その２）を説明するための図であ
る。図８（ａ）は、図柄４を２コマ滑りで停止させるときの最大停止遅延時間を説明する
ものである。図柄１の非判定範囲は、１２ステップ目〜１７ステップ目の範囲であるため
、図柄１の１２ステップ目以降で停止操作を行ったとしても、当該図柄を停止させること
ができず、２コマ滑りの場合は、図柄４で停止することになる。
【００８４】
したがって、２コマ滑りで図柄４に停止させる場合に、最大停止遅延時間となる停止操
作位置は、図柄１の１２ステップ目となる。このことから、ステップ移動時間は、（６ス
テップ（図柄１の１２〜１７ステップ目）＋３４ステップ（図柄２，３）＋１１ステップ
（図柄４の１１ステップ））×２．２４ｍｓ＝１１４．２４ｍｓとなる。
【００８５】
以上のことから、２コマ滑りで図柄４を停止させる場合の最大停止遅延時間は、ステッ
プ移動時間（１１４．２４ｍｓ）＋その他（１．６８ｍｓ）＋２相励磁延長時間（０ｍ）
＝１１５．９２ｍｓとなり、特定条件が成立しない（１９０ｍｓを超えない）。このため
、２コマ滑りで図柄４を停止させる場合は、バウンド停止制御が可能である。
【００８６】
図８（ｂ）は、図柄４を３コマ滑りで停止させるときの最大停止遅延時間を説明するも
のである。図柄０の非判定範囲は、１２ステップ目〜１６ステップ目の範囲であるため、
図柄１の１２ステップ目以降で停止操作を行ったとしても、当該図柄を停止させることが
できず、３コマ滑りの場合は、図柄４で停止することになる。
【００８７】
したがって、３コマ滑りで図柄４に停止させる場合に、最大停止遅延時間となる停止操
作位置は、図柄０の１２ステップ目となる。このことから、ステップ移動時間は、（５ス
テップ（図柄０の１２〜１６ステップ目）＋５１ステップ（図柄１〜３）＋１１ステップ
（図柄４の１１ステップ））×２．２４ｍｓ＝１５０．０８ｍｓとなる。
【００８８】
以上のことから、３コマ滑りで図柄４を停止させる場合の最大停止遅延時間は、ステッ
プ移動時間（１５０．０８ｍｓ）＋その他（１．６８ｍｓ）＋２相励磁延長時間（０ｍ）
＝１５１．７６ｍｓとなり、特定条件が成立しない（１９０ｍｓを超えない）。このため
、３コマ滑りで図柄４を停止させる場合は、バウンド停止制御が可能である。
【００８９】
図９は、最大停止遅延時間とバウンド停止との関係（その３）を説明するための図であ
る。図９（ａ）は、図柄４を４コマ滑りで停止させるときの最大停止遅延時間を説明する
ものである。図柄１９の非判定範囲は、１２ステップ目〜１７ステップ目の範囲であるた
め、図柄１９の１２ステップ目以降で停止操作を行ったとしても、当該図柄を停止させる
ことができず、４コマ滑りの場合は、図柄４で停止することになる。
【００９０】
したがって、４コマ滑りで図柄４に停止させる場合に、最大停止遅延時間となる停止操
作位置は、図柄１９の１２ステップ目となる。このことから、ステップ移動時間は、（６
ステップ（図柄１９の１２〜１７ステップ目）＋６７ステップ（図柄０〜３）＋１１ステ
ップ（図柄４の１１ステップ））×２．２４ｍｓ＝１８８．１６ｍｓとなる。
【００９１】
以上のことから、４コマ滑りで図柄４を停止させる場合の最大停止遅延時間は、ステッ
プ移動時間（１８８．１６ｍｓ）＋その他（１．６８ｍｓ）＋２相励磁延長時間（０ｍ）
＝１８９．８４ｍｓとなり、特定条件が成立しない（１９０ｍｓを超えない）。このため
、４コマ滑りで図柄４を停止させる場合は、バウンド停止制御が可能である。
【００９２】
このように、図柄４を停止させる場合は、滑りコマ数に限らず、バウンド停止制御が可
能である。
【００９３】
図９（ｂ）は、図柄３を４コマ滑りで停止させるときの最大停止遅延時間を説明するも
のである。図柄１８の非判定範囲は、１２ステップ目〜１７ステップ目の範囲であるため
、図柄１８の１２ステップ目以降で停止操作を行ったとしても、当該図柄を停止させるこ
とができず、４コマ滑りの場合は、図柄３で停止することになる。
【００９４】
したがって、４コマ滑りで図柄３に停止させる場合に、最大停止遅延時間となる停止操
作位置は、図柄１８の１２ステップ目となる。このことから、ステップ移動時間は、６ス
テップ（図柄１８の１２〜１７ステップ目）＋６７ステップ（図柄１９，０〜２）＋１１
ステップ（図柄３の１１ステップ）×２．２４ｍｓ＝１８８．１６ｍｓとなる。図柄３の
停止開始位置は、図柄４と異なり、１相励磁状態である。このため、２相励磁延長が必要
となる。
【００９５】
以上のことから、４コマ滑りで図柄３を停止させる場合の最大停止遅延時間は、ステッ
プ移動時間（１８８．１６ｍｓ）＋その他（１．６８ｍｓ）＋２相励磁延長時間（１．１
２ｍ）＝１９０．９６ｍｓとなり、特定条件が成立する（１９０ｍｓを超える）。このた
め、４コマ滑りで図柄３を停止させる場合は、バウンド停止制御不能である。
【００９６】
このように、停止操作から停止制御が行われるまでに入賞ラインである中段ラインＬＮ
を通過する１７ステップ図柄が４図柄（図柄１８，１９，１，２）であり、滑りコマ数が
４コマであり、停止開始位置での励磁状態が１相励磁状であるときに、特定条件が成立す
るため、バウンド停止制御ができなくなる。
【００９７】
また、上記と同様の計算を行うと、図柄３を停止させる場合は、滑りコマ数に限らず、
通常停止制御が可能である。しかし、図柄３を停止させる場合は、滑りコマ数が０〜３で
ある場合にバウンド停止制御が可能であるが、滑りコマ数が４である場合にバウンド停止
制御が不能となる。したがって、滑りコマ数４で引き込みを行おうとする場合には、図柄
３を停止させるバウンド停止制御をすることができない。
【００９８】
同様の計算を行うと、既に図５を用いて説明したように、図柄２，４，７，９，１２，
１４，１７，１９において、バウンド停止制御が可能であり、その他の図柄において、バ
ウンド停止制御不能となる。
【００９９】
以上説明したように、赤７図柄（図柄２，）が入賞ラインである中段ラインＬＮに停止
する状況である場合、ストップスイッチ８Ｌ，８Ｃ，８Ｒが操作されてから赤７図柄が中
段ラインＬＮに停止するまでの滑りコマ数に関わらず、バウンド停止制御が可能となる。
【０１００】
また、ストップスイッチ８Ｌ，８Ｃ，８Ｒが操作されてからリール２Ｌ，２Ｃ，２Ｒが
停止を開始するまでの時間が最大遅延時間を超える特定条件が成立しているときにはバウ
ンド停止制御が行われない一方で、特定条件が成立していないときにはバウンド停止制御
を行われる。
【０１０１】
［第１バウントストップ制御および第２バウンド停止制御］
図１０は、第１バウントストップ制御および第２バウンド停止制御における停止開始位
置での２相励磁状態を説明するための図である。
【０１０２】
本実施の形態においては、図５で示したように、図柄２に対応する赤７図柄と、図柄４
に対応する赤７図柄とを対象にして、バウンド停止制御が行われる。バウンド停止制御が
実行可能な状況には、図柄２が停止開始位置である第１状況と、図柄４が停止開始位置で
ある第２状況とが含まれる。第１状況であるときは、第１バウンド停止制御が行われ、第
２状況であるときは、第２バウンド停止制御が行われる。
【０１０３】
図１０に示すように、第１バウンド停止制御は、停止開始位置においてφ０とφ１とを
励磁するバウンド停止制御である。また、第２バウンド停止制御は、停止開始位置におい
てφ１とφ２とを励磁するバウンド停止制御である。
【０１０４】
［主な効果］
次に、前述した実施の形態により得られる主な効果を説明する。
【０１０５】
図柄には、割り当てられたリールモータのステップ数が１６ステップである１６ステッ
プ図柄と、割り当てられたリールモータのステップ数が１７ステップである１７ステップ
図柄が含まれ、リール２Ｌ，２Ｃ，２Ｒを停止させるためのリールモータの制御には、通
常停止制御（全相励磁停止制御）と、バウンド停止制御（２相励磁停止制御）とが含まれ
る。また、図９（ｂ）に示すように、バウンド停止制御が行われる場合に、ストップスイ
ッチ８Ｌ，８Ｃ，８Ｒが操作されてからリール２Ｌ，２Ｃ，２Ｒが停止を開始するまでの
時間が１９０ｍｓを超える特定条件が成立しているときにはバウンド停止制御が行われな
い一方で、図９（ａ）に示すように、特定条件が成立していないときにはバウンド停止制
御が行われる。このように２相励磁延長時間が必要となるバウンド停止制御が行われない
ようにすることで、ストップスイッチ８Ｌ，８Ｃ，８Ｒが操作がされてからリール２Ｌ，
２Ｃ，２Ｒが停止するまでの時間が長くなることを抑止することができる。
【０１０６】
バウンド停止制御が実行可能な状況には、図柄２の停止開始位置が２相励磁である第１
状況と、図柄４の停止開始位置が２相励磁である第２状況とが含まれる。また、図１０に
示すように、第１状況であるときは、停止開始位置においてφ０とφ１とを励磁する第１
バウンド停止制御が行われ、第２状況であるときは、停止開始位置においてφ１とφ２と
を励磁する第２バウンド停止制御が行われるため、バウンド停止制御が実行可能な状況に
おいて、適切にバウンド停止制御を実行することができる。
【０１０７】
図４（ｃ），（ｄ）に示すように、バウンド停止制御が実行可能な状況は、ストップス
イッチ８Ｌ，８Ｃ，８Ｒが操作されたときに赤７図柄が中段ラインＬＮに停止可能な状況
であるため、遊技者に対して、赤７図柄の停止を好適にアピールすることができる。
【０１０８】
図４に示すように、赤７図柄が中段ラインＬＮに停止可能な状況である旨を示唆する７
を狙え演出が実行されため、遊技者に対して、赤７図柄を停止させることを促すことがで
きる。
【０１０９】
図７〜９に示すように、赤７図柄が中段ラインＬＮに停止する状況である場合、ストッ
プスイッチ８Ｌ，８Ｃ，８Ｒが操作されてから赤７図柄が中段ラインＬＮに停止するまで
の滑りコマ数に関わらず、バウンド停止制御が行われるため、停止操作のタイミングに関
わらずバウンド停止制御を行うことができる。
【０１１０】
［変形例］
本発明は、上記の実施の形態に限られず、種々の変形、応用が可能である。以下、本発
明に適用可能な上記の実施の形態の変形例について説明する。
【０１１１】
［各図柄のステップ数について］
本実施の形態においては、図５に示したように、５図柄おきに１６ステップ図柄が配置
されるようにした（図柄０，５，１０，１５が１６ステップ図柄であり、それ以外の図柄
は１７ステップ図柄）。このようにしたことで、図９（ｂ）で示した例においては、停止
操作から停止制御が行われるまでに中段ラインＬＮを通過する１７ステップ図柄が４図柄
となってしまい、４コマ滑りで図柄３を停止させる場合、特定条件が成立してバウンド停
止制御不能となっていた。
【０１１２】
しかし、これに限らず、１６ステップ図柄が連続的に配置されるようにしてもよい。た
とえば、図柄１８を１７ステップ図柄、図柄１９を１７ステップ図柄、図柄０を１６ステ
ップ図柄、図柄１を１６ステップ図柄、図柄２を１７ステップ図柄、図柄３を１７ステッ
プ図柄とするように図柄を配置する。このようにすることで、図９（ｂ）で示した状況に
おいては、停止操作から停止制御が行われるまでに入賞ラインを通過する１７ステップ図
柄が３図柄となる。これにより、ステップ移動時間が２．２４ｍｓ短くなり、特定条件が
成立しないため、バウンド停止制御が可能となる。
【０１１３】
このように、中段ラインＬＮを通過する図柄に１７ステップ図柄が４つ含まれる特定条
件が成立しているときにはバウンド停止制御が行われない一方で、１７ステップ図柄が３
つ含まれるときにはバウンド停止制御を行われる。このように、中段ラインＬＮを通過す
る図柄に含まれる１７ステップ図柄の数を少なくすることで、ステップ移動時間が短縮さ
れるため、ストップスイッチ８Ｌ，８Ｃ，８Ｒが操作がされてからリール２Ｌ，２Ｃ，２
Ｒが停止するまでの時間が長くなることを抑止することができる。
【０１１４】
また、上記に限らず、１６ステップ図柄が連続的に複数配置されるものであればよい。
また、１６ステップ図柄と１７ステップ図柄とを配置するものに限らず、１５ステップ図
柄や１８ステップ図柄を含むものであってもよい。この場合、図９（ｂ）に示した状況に
おいて、図柄０が１５ステップ図柄であれば、特定条件が成立しないため、バウンド停止
制御が可能となる。また、リールに配置された図柄数が２０図柄以外のものであってもよ
く、全ステップ数が３３６ステップ以外のものであってもよい。
【０１１５】
［停止制御について］
また、本実施の形態においては、バウンド停止制御を行うようにしたが、これに限らず
、スロー停止を行う停止制御を行うものであってもよい。スロー停止とは、本実施の形態
におけるリール回転速度よりもさらに遅い回転速度に切り替えてからリールを停止させる
ものである。このようにした場合、回転速度が遅くなることによって、バウンド停止制御
における２相励磁延長と同様に、特定条件が成立する要因になる。たとえば、図９（ｂ）
に示した状況において、スロー停止による遅延時間が１．８５ｍｓ以上発生することで、
最大停止遅延時間が１９０ｍｓを超える特定条件が成立する。この場合、スロー停止を行
う停止制御を行わないようにすればよい。
【０１１６】
［７を狙え演出について］
本実施の形態においては、入賞ラインに図柄組合せ「赤７−赤７−赤７」を揃わせる７
を狙え演出を実行するようにし、右リールおよび左リールにおいて赤７が停止したときに
、バウンド停止制御を行わせるようにした。しかし、これに限らず、すべてのリールにお
いてバウンド停止制御を行わせるものであってもよいし、１つのリールのみにおいてバウ
ンド停止制御を行わせるものであってもよい。また、図柄組合せ「赤７−赤７−赤７」で
入賞が発生するものに限らず、たとえば、左リールにおいてチェリー図柄が停止すること
で入賞が発生するようなものであってもよい。この場合、チェリー図柄の停止時にバウン
ド停止制御が行われる。また、バウンド停止制御により、ＡＴの権利が付与されたことを
示唆するものに限らず、なんらかの特典が付与されたことを示唆するようなものであれば
よい。たとえば、ＡＴ中にＡＴゲーム数の上乗せ当選を示唆するようなものであってもよ
く、上乗せ当選確率が高くなる上乗せ特化ゾーンに制御されることを示唆するようなもの
であってもよく、ボーナス当選を示唆するようなものであってもよい。
【０１１７】
今回開示された実施の形態はすべての点で例示であって制限的なものではないと考えら
れるべきである。本発明の範囲は上記した説明ではなくて特許請求の範囲によって示され
、特許請求の範囲と均等の意味および範囲内でのすべての変更が含まれることが意図され
る。
【符号の説明】
【０１１８】
１  スロットマシン、２Ｌ，２Ｃ，２Ｒ  リール、３  透視窓、７  スタートスイッチ
、８Ｌ，８Ｃ，８Ｒ  ストップスイッチ、４１  メイン制御部、４１ａ  メインＣＰＵ、
４１ｃ  ＲＡＭ、５１  液晶表示器、５３  スピーカ、９１  サブ制御部、９１ａ  サブ
ＣＰＵ、９１ｃ  ＲＡＭ。
【図１】
2019093017.tif 000003
【図２】
2019093017.tif 000004
【図３】
2019093017.tif 000005
【図４】
2019093017.tif 000006
【図５】
2019093017.tif 000007
【図６】
2019093017.tif 000008
【図７】
2019093017.tif 000009
【図８】
2019093017.tif 000010
【図９】
2019093017.tif 000011
【図１０】
2019093017.tif 000012